(57)【要約】【課題】吸収パッドからの液漏れが生じた場合であっても、その液を首尾よく吸収することができ、また脚周りのフィット性が高い吸収性物品を提供すること。【解決手段】吸収性物品１は、肌対向面に取り外し可能に配される別体の吸収パッド１００とともに着用される。吸収性物品１の吸収性コア４０は中央域５と側部域６とを備える。中央域５と側部域６とは側方溝部４３によって離間している。側部域６は、長手方向Ｘと交差する方向に延びる複数の交差溝部６１を有する。各交差溝部６１は、それらの仮想延長線Ｌが吸収性コア４０の中央部を向くような角度で長手方向Ｘと交差している。【選択図】図４
2018122014.tif 000002
【特許請求の範囲】
【請求項１】
股下部と、該股下部から長手方向の前後にそれぞれ延びる腹側部及び背側部とを有し、肌対向面に取り外し可能に配される別体の吸収パッドとともに着用される吸収性物品であって、
前記吸収性物品は吸収性コアを有し、
前記吸収性コアは、中央域と、その幅方向の両側部に位置する側部域とを備え、
前記中央域と前記側部域とは、前記吸収性コアの長手方向に延びる側方溝部によって少なくとも前記股下部において離間しており、
前記側部域は、前記吸収性コアの長手方向と交差する方向に延びる複数の交差溝部を有し、
各交差溝部は、それらの仮想延長線が前記吸収性コアの中央部を向くような角度で該吸収性コアの長手方向と交差している、吸収性物品。
【請求項２】
前記交差溝部が前記側方溝部と連結している、請求項１に記載の吸収性物品。
【請求項３】
前記側部域が、前記股下部から長手方向の前後に延びる第２側方溝部を有し、
前記第２側方溝部が前記交差溝部と交差している、請求項１又は２に記載の吸収性物品。
【請求項４】
前記肌対向面における幅方向の両側部に、長手方向に延びる防漏カフが配されており、
前記吸収性コアの側縁が、前記防漏カフの固定端よりも、幅方向の外方に位置している、請求項１ないし３のいずれか一項に記載の吸収性物品。
【請求項５】
前記側部域の非肌対向面側に、長手方向に延びる弾性部材が伸長状態で配されている、請求項１ないし４のいずれか一項に記載の吸収性物品。
【請求項６】
前記中央域は、その幅方向中央部に、前記股下部から長手方向の前後に延びる中央溝部を有し、
前記中央溝部は、幅方向に沿う厚み方向での断面視において、肌対向面から非肌対向面に向けて幅が漸減している、請求項１ないし５のいずれか一項に記載の吸収性物品。
【請求項７】
前記中央域は、その幅が、前記吸収パッドの幅よりも狭くなっている、請求項１ないし６のいずれか一項に記載の吸収性物品。
【請求項８】
股下部と、該股下部から長手方向の前後にそれぞれ延びる腹側部及び背側部とを有する吸収性物品と、該吸収性物品の肌対向面に取り外し可能に配される別体の吸収パッドとを具備する着用物品であって、
前記吸収性物品は吸収性コアを有し、
前記吸収性コアは、中央域と、その幅方向の両側部に位置する側部域とを備え、
前記中央域と前記側部域とは、前記吸収性コアの長手方向に延びる側方溝部によって少なくとも前記股下部において離間しており、
前記側部域は、前記吸収性コアの長手方向と交差する方向に延びる複数の交差溝部を有し、
各交差溝部は、それらの仮想延長線が前記吸収性コアの中央部を向くような角度で該吸収性コアの長手方向と交差しており、
前記中央域は、その幅が、前記吸収パッドの幅よりも狭くなっている、着用物品。
【発明の詳細な説明】
【技術分野】
【０００１】
本発明は、別体の吸収パッドとともに着用される吸収性物品に関する。
【背景技術】
【０００２】
吸収性物品における吸収体を複数の部位に分割する技術が種々知られている。
例えば特許文献１には、中央部吸収体と側部吸収体とを備えた吸収体を有する吸収性物品が記載されている。中央部吸収体と側部吸収体との間には離間部がある。また、中央部吸収体と側部吸収体との間には中間シートが介在している。この吸収性物品によれば、大腿部付け根周りないし股下部のフィット性が改善され、また大腿部付け根周りからの漏れが防止されるという利点がある。
【先行技術文献】
【特許文献】
【０００３】
【特許文献１】特開２０１５−０６６３０６号公報
【発明の概要】
【発明が解決しようとする課題】
【０００４】
ところで特許文献１に記載の構造を有する吸収性物品においては、中央部吸収体に対応する位置に、別体の吸収パッドを取り外し可能に配し、該吸収性物品と該吸収パッドとを組み合わせて着用する場合がある。その場合、吸収パッドが吸収しきれなかった尿や便は、吸収性物品へ流出し該吸収性物品で吸収保持される。そこで吸収性物品における尿や便の吸収性を良好にする目的で、吸収性物品の吸収体に含まれるパルプや吸水性ポリマーの使用量を増やして吸収容量を高める手法や、吸収パッドの厚みを増して、補助パッドと着用者の身体との隙間を減じる手法などが従来採用されている。
【０００５】
しかし、吸収性物品の吸収体に含まれるパルプや吸水性ポリマーの使用量を増やすと、吸収体の厚みも増すので、そのことに起因して吸収体内での液の拡散性が低下しやすい。また、吸収体の剛性も増すので、フィット性が低下しやすい。
【０００６】
したがって本発明の課題は、別体の吸収パッドとともに着用される吸収性物品の改良にあり、更に詳しくは吸収パッドから漏れた液の吸収性に優れ、またフィット性が高い吸収性物品を提供することにある。
【課題を解決するための手段】
【０００７】
本発明は、股下部と、該股下部から長手方向の前後にそれぞれ延びる腹側部及び背側部とを有し、肌対向面に取り外し可能に配される別体の吸収パッドとともに着用される吸収性物品であって、
前記吸収性物品は吸収性コアを有し、
前記吸収性コアは、中央域と、その幅方向の両側部に位置する側部域とを備え、
前記中央域と前記側部域とは、前記吸収性コアの長手方向に延びる側方溝部によって少なくとも前記股下部において離間しており、
前記側部域は、前記吸収性コアの長手方向と交差する方向に延びる複数の交差溝部を有し、
各交差溝部は、それらの仮想延長線が前記吸収性コアの中央部を向くような角度で該吸収性コアの長手方向と交差している、吸収性物品を提供するものである。
【０００８】
また本発明は、股下部と、該股下部から長手方向の前後にそれぞれ延びる腹側部及び背側部とを有する吸収性物品と、該吸収性物品の肌対向面に取り外し可能に配される別体の吸収パッドとを具備する着用物品であって、
前記吸収性物品は吸収性コアを有し、
前記吸収性コアは、中央域と、その幅方向の両側部に位置する側部域とを備え、
前記中央域と前記側部域とは、前記吸収性コアの長手方向に延びる側方溝部によって少なくとも前記股下部において離間しており、
前記側部域は、前記吸収性コアの長手方向と交差する方向に延びる複数の交差溝部を有し、
各交差溝部は、それらの仮想延長線が前記吸収性コアの中央部を向くような角度で該吸収性コアの長手方向と交差しており、
前記中央域は、その幅が、前記吸収パッドの幅よりも狭くなっている、着用物品を提供するものである。
【発明の効果】
【０００９】
本発明の吸収性物品によれば、肌対向面に配された別体の吸収パッドからの液漏れが生じた場合であっても、その液を首尾よく吸収することができる。また本発明の吸収性物品は脚周りのフィット性が高く、そのことによっても液漏れが効果的に防止される。
【図面の簡単な説明】
【００１０】
【図１】図１は、本発明の吸収性物品の一実施形態である使い捨ておむつを展開した状態での平面図である。
【図２】図２（ａ）は、図１に示す使い捨ておむつにおける股下部の幅方向に沿う厚み方向断面図であり、図２（ｂ）は図１に示す使い捨ておむつと吸収パッドとの併用形態を示した股下部の幅方向に沿う厚み方向断面図である。
【図３】図３は、図１に示す使い捨ておむつと吸収パッドとの併用形態を示す斜視図である。
【図４】図４は、吸収性コアの一実施形態を示す平面図である。
【図５】図５は、吸収性コアの別の実施形態を示す平面図（図４相当図）である。
【図６】図６は、吸収性コアの更に別の実施形態を示す平面図（図４相当図）である。
【図７】図７（ａ）は、図６に示す吸収性コアを備えた使い捨ておむつにおける股下部の幅方向に沿う厚み方向断面図（図２相当図）であり、図７（ｂ）は図７（ａ）における中央溝部の要部拡大図である。
【図８】図８（ａ）は、使い捨ておむつの着用時における股下部の幅方向に沿う厚み方向断面図であり、図８（ｂ）は、吸収パッドを併用した使い捨ておむつの着用時における股下部の幅方向に沿う厚み方向断面図である。
【発明を実施するための形態】
【００１１】
以下本発明を、その好ましい実施形態に基づき図面を参照しながら説明する。図１及び図２には本発明の吸収性物品の一実施形態である使い捨ておむつが示されている。同図に示すおむつは大人用の展開型使い捨ておむつである。
【００１２】
おむつ１は、その着用状態において、着用者の前後方向に相当する長手方向Ｘと、これに直交する幅方向Ｙとを有する。おむつ１は、長手方向Ｘの略中央域に、着用時に着用者の股下に配される股下部１Ｍを有する。またおむつ１は、股下部１Ｍから長手方向Ｘの前後にそれぞれ延びる腹側部１Ｆ及び背側部１Ｒを有する。腹側部１Ｆ及び背側部１Ｒはそれぞれ、おむつ１の着用時に着用者の腹側及び背側に配される部位である。腹側部１Ｆ、股下部１Ｍ及び背側部１Ｒは、おむつ１を長手方向Ｘに沿って略三等分した場合の各領域に相当する。股下部１Ｍは、おむつ１の着用時に着用者の尿排泄部及び便排泄部の双方に対向配置される排泄部対向部を有しており、該排泄部対向部は通常、おむつ１の長手方向Ｘの中央部又はその近傍に位置している。
【００１３】
おむつ１は、液保持性の吸収体４と、該吸収体４の肌対向面側に配され、着用時に着用者の肌と接触し得る液透過性の表面シート２と、該吸収体４の非肌対向面側に配された液不透過性ないし液難透過性の裏面シート３とを具備する。おむつ１は、図１に示すとおりの平面視において、股下部１Ｍに位置する長手方向Ｘの中央域が幅方向Ｙの内方に向けて括れており、且つ長手方向Ｘに長い、縦長の略砂時計状をなしている。
【００１４】
本明細書において、「肌対向面」は、吸収性物品又はその構成部材（例えば吸収体４）における、吸収性物品の着用時に着用者の肌側に向けられる面、すなわち相対的に着用者の肌に近い側のことである。「非肌対向面」は、吸収性物品又はその構成部材における、吸収性物品の着用時に肌側とは反対側、すなわち相対的に着用者の肌から遠い側に向けられる面のことである。また本明細書において、「着用時」は、通常の適正な着用位置、すなわち当該吸収性物品の正しい着用位置が維持された状態を意味し、吸収性物品が該着用位置からずれた状態にある場合は含まない。
【００１５】
表面シート２及び裏面シート３はそれぞれ、吸収体４よりも大きな寸法を有し、吸収体４の周縁から外方に延出している。裏面シート３は、図１に示すとおり、展開状態で且つ伸長状態のおむつ１の外形を形成している。表面シート２及び裏面シート３としては、それぞれ、この種の吸収性物品に従来用いられている各種のものを特に制限なく用いることができる。例えば、表面シート２としては各種の不織布や開孔フィルム等を用いることができる。裏面シート３としては液不透過性の樹脂フィルムや、樹脂フィルムと不織布等とのラミネート等を用いることができる。裏面シート３には、例えば、液難透過性のフィルムシート単独の形態と、該フィルムシートの非肌対向面、すなわち外表面側に外装シートを積層配置した形態とがあり、該外装シートは例えば不織布である。図２に示す実施形態では、液難透過性のフィルムシート３ａと、その外表面側に積層された不織布からなる外装シート３ｂとで裏面シート３が構成されている。また裏面シート３として撥水性であり、且つ液難透過性のシート、例えばスパンボンド−メルトブローン−スパンボンド（ＳＭＳ）不織布などを用いることもできる。
【００１６】
腹側部１Ｆ及び背側部１Ｒそれぞれのウエスト部、すなわち長手方向Ｘに沿う端部における表面シート２と裏面シート３との間には、糸状の弾性部材３１が幅方向Ｙに沿って伸長状態で固定されている。これによって、おむつ１の着用時における該ウエスト部には、弾性部材３１の収縮によりウエストギャザーが形成される。
【００１７】
おむつ１の表面シート２側における長手方向Ｘに沿う左右両側には、それぞれサイドシート３４が配されている。サイドシート３４は、長手方向Ｘに沿う内側縁部と、該内側縁部よりも幅方向Ｙの外方に位置して長手方向Ｘに沿う外側縁部とを有する。図１に示す平面視において、該内側縁部は吸収体４の一部と重なっており、該外側縁部は吸収体４の長手方向Ｘに沿う側縁から幅方向Ｙの外方に延出し裏面シート３と接合されている。
【００１８】
着用者の脚周りに配される左右のレッグ部におけるサイドシート３４と裏面シート３との間には、糸状の弾性部材３２が長手方向Ｘに沿って伸長状態で固定されている。これによって、おむつ１の着用時におけるレッグ部に、弾性部材３２の収縮により一対のレッグギャザーが形成される。また、サイドシート３４の内側縁部には、糸状の弾性部材３３が長手方向Ｘに沿って伸長状態で固定されており、これにより、おむつ１の着用時には弾性部材３３の収縮により少なくとも股下部１Ｍに防漏カフ３７が形成される。防漏カフ３７は、おむつ１の肌対向面における幅方向Ｙの両側部に、長手方向Ｘに延びるように配されている。表面シート２、裏面シート３、吸収体４、各弾性部材３１，３２，３３及びサイドシート３４は、ホットメルト型接着剤等の公知の接合手段により互いに接合されている。
【００１９】
おむつ１は、いわゆる展開型の使い捨ておむつであり、図１に示すとおり、おむつ１の背側部１Ｒにおける長手方向Ｘに沿う両側縁部に、２個のファスニングテープ３５，３５が一対設けられている。ファスニングテープ３５には、機械的面ファスナーのオス部材からなる止着部が取り付けられている。
【００２０】
おむつ１の腹側部１Ｆの非肌対向面には、機械的面ファスナーのメス部材からなる被止着領域３６が形成されている。被止着領域３６は、腹側部１Ｆの非肌対向面を形成する裏面シート３の非肌対向面に、機械的面ファスナーのメス部材を公知の接合手段、例えば接着剤やヒートシール等で接合固定して形成されており、ファスニングテープ３５の前記止着部を着脱自在に止着可能になされている。
【００２１】
吸収体４は、液保持性の吸収性コア４０と、該吸収性コア４０の肌対向面を被覆する肌側コアラップシート４１と、該吸収性コア４０の非肌対向面を被覆する非肌側コアラップシート４２とを含んで構成されている。吸収性コア４０とコアラップシート４１，４２との間は、ホットメルト型接着剤等の公知の接合手段により接合されている。吸収性コア４０は単層構造であり、長手方向Ｘに長い形状をなしている。
【００２２】
本実施形態の吸収性コア４０は、繊維材料を主体とするコア形成材料が積繊されてなる繊維集合体である。コア形成材料の積繊は、公知の積繊装置を用いて常法に従って行うことができる。ここでいう「繊維材料を主体とする」とは、コア形成材料、すなわち吸収性コア４０における繊維材料の含有量が４０質量％以上であることを意味する。繊維材料の含有量は、吸収性コア４０の全質量に対して、好ましくは５０質量％以上であり、１００質量％、すなわち吸収性コア４０は繊維材料のみから構成されていてもよい。
【００２３】
肌側コアラップシート４１及び非肌側コアラップシート４２は、いずれも繊維材料を主体とする。ここでいう「繊維材料を主体とする」の意味は前記のとおりである。肌側コアラップシート４１と非肌側コアラップシート４２とは、１）１枚の連続したシートであってもよく、２）それぞれ別体のシートであってもよい。本実施形態のおむつ１においては、前記１）が採用されている。すなわち、おむつ１においては、吸収性コア４０の幅方向Ｙの長さの２倍以上３倍以下の幅を有する１枚の連続したコアラップシートが採用されており、この１枚のコアラップシートは、図２に示すとおり、吸収性コア４０の肌対向面の全域を被覆し、且つ吸収性コア４０の長手方向Ｘに沿う両側縁から幅方向Ｙの外方に延出し、その延出部が、吸収性コア４０の下方に巻き下げられて、吸収性コア４０の非肌対向面の全域を被覆している。そして、この１枚のコアラップシートにおいて、吸収性コア４０の肌対向面を被覆する部分が肌側コアラップシート４１、吸収性コア４０の非肌対向面を被覆する部分が非肌側コアラップシート４２である。
【００２４】
前記２）の場合は、肌側コアラップシート４１と非肌側コアラップシート４２とで、幅方向Ｙの長さ、すなわち幅は同じでも良く、異なっていてもよい。両シート４１，４２で幅が異なる場合は、どちらが長くてもよい。例えば、肌側コアラップシート４１は、吸収性コア４０の肌対向面の最大幅と同じ幅を有する、すなわち吸収性コア４０の肌対向面の全域を被覆可能な大きさを有するものとし、非肌側コアラップシート４２は、該シート４１よりも幅広にすることができる。その幅広の非肌側コアラップシート４２は、吸収性コア４０の非肌対向面の全域を被覆し、且つ吸収性コア４０の長手方向Ｘに沿う両側縁から幅方向Ｙの外方に延出し、その延出部が、吸収性コア４０の肌対向面に対向配置された肌側コアラップシート４１上に巻き上げられ、該シート４１の長手方向Ｘに沿う両側縁部を被覆していてもよい。
【００２５】
吸収性コア４０の構成繊維となる繊維材料としては、この種の吸収性物品における液吸収要素に通常用いられる繊維材料を特に制限なく用いることができ、木材パルプ、非木材パルプ等の天然パルプ；カチオン化パルプ、マーセル化パルプ等の変性パルプ；レーヨン等の再生セルロース繊維；ポリエチレン樹脂、ポリエチレンテレフタレート樹脂等の合成樹脂からなる合成繊維；該合成繊維に界面活性剤等の親水化剤による親水化処理したもの等が挙げられ、これらの１種を単独で又は２種以上を組み合わせて用いることができる。コアラップシート４１，４２としては、例えば、紙、不織布等を用いることができ、その構成繊維としては、吸収性コア４０の構成繊維と同様のものを用いることができる。
【００２６】
他の実施形態として、吸収性コア４０には、上述の繊維材料に加えて、又は繊維材料に代えて、吸水性ポリマーを含有させてもよい。吸水性ポリマーとしては、各種のヒドロゲル材料を用いることができる。例えばアクリル酸若しくはアクリル酸アルカリ金属塩の重合体又は共重合体の架橋物、ポリアクリル酸及びその塩並びにポリアクリル酸塩グラフト重合体の架橋物、デンプン又はカルボキシメチル化セルロースの架橋物、デンプン-アクリル酸塩グラフト共重合体の加水分解生成物の架橋物、ビニルアルコール-アクリル酸塩共重合体の架橋物、無水マレイン酸グラフトポリビニルアルコールの架橋物、架橋イソブチレン−無水マレイン酸共重合体、酢酸ビニル−アクリル酸エステル共重合体のケン化物等を用いることができる。
【００２７】
本実施形態のおむつ１は、図２（ｂ）及び図３に示すとおり、その肌対向面である表面シート２の表面に取り外し可能に配される別体の吸収パッド１００とともに用いられる着用物品として使用されるものである。吸収パッド１００は、一般に、その肌対向面側に位置する液透過性の表面シート１０２、非肌対向面側に位置する裏面シート１０３、及び両シート１０２，１０３間に位置する液保持性の吸収体（図示せず）を備えている。裏面シート１０３は、液不透過性又は液難透過性であっても良く、液透過性であっても良い。吸収パッド１００に用いられる表面シート１０２及び吸収体は、おむつ１に用いられる表面シート２及び吸収体４とそれぞれ同様のものを用いることができる。また、裏面シート１０３は、液不透過性又は液難透過性の場合にはおむつ１の裏面シート３と同様のものを用いることができ、液透過性である場合は表面シート２と同様のものを用いることができる。吸収パッド１００は、その非肌対向面側に位置する裏面シート１０３が、おむつ１の表面シート２と対向するように、おむつ１の肌対向面に配される。吸収パッド１００においては、例えば裏面シート１０３の外表面に粘着剤層（図示せず）が設けられており、該粘着剤層によって、吸収パッド１００がおむつ１から取り外し可能に固定されるようになっている。吸収パッド１００は、その長手方向の中央域が、おむつ１の股下部１Ｍに位置するように、一対の防漏カフ３７間に配置される。
【００２８】
図４には、吸収性コア４０の平面図が示されている。同図に示す吸収性コア４０は、大別して中央域５と、一対の側部域６とから構成されている。中央域５は、吸収性コア４０を幅方向Ｙに二等分する長手方向中心線ＣＬを含み、幅方向Ｙの中央に位置し、吸収性コア４０の最大幅に対して、略１／２の幅を有する。吸収性コア４０の最大幅は、吸収性コア４０の幅方向Ｙにおける長さが、最も大きい箇所を指す。例えば、吸収性コアが砂時計形状、すなわち吸収性コア４０の幅方向Ｙにおける股下部１Ｍの長さが、腹側部１Ｆ又は背側部１Ｒの幅方向Ｙにおける長さと比較して短い場合には、腹側部１Ｆ又は背側部１Ｒにおける吸収性コアの最大の幅方向Ｙにおける長さが吸収性コア４０の最大幅となる。各側部域６は、中央域５に対して幅方向Ｙの両側部に位置し、吸収性コア４０の最大幅に対して、略１／４の幅をそれぞれ有している。中央域５と側部域６とは、側方溝部４３，４３によって少なくとも股下部１Ｍにおいて離間している。各側方溝部４３は、中央域５及び側部域６の坪量よりも低坪量であるか若しくは坪量を有さない部位又は中央域５及び側部域６の坪量より低坪量でなくてもエンボス加工により部分的に圧密化される等して厚みが薄くされ溝形状になっている部位であり、吸収性コア４０の長手方向Ｘに沿って延びている。図２に示す実施形態では、各側方溝部４３は坪量を有さない貫通孔の部位となっている。吸収性コア４０において、側方溝部４３は、おむつ１の少なくとも股下部１Ｍに形成されており、且つ股下部１Ｍから長手方向Ｘの前後にそれぞれ延出して腹側部１Ｆ及び背側部１Ｒにまで達していることが好ましい。しかし、側方溝部４３は、吸収性コア４０の長手方向Ｘの前後それぞれの端縁４０Ｆ，４０Ｒまでは達していないことが好ましい。したがって、中央域５と側部域６とは、側方溝部４３によって、おむつ１の少なくとも股下部１Ｍにおいて離間しているとともに、腹側部１Ｆ側の端部域及び背側部１Ｒ側の端部域においては、中央域５と側部域６とは連結していることが好ましい。
【００２９】
吸収性コア４０が中央域５と側部域６とを有し、中央域５と側部域６とが側方溝部４３によって離間していることで、吸収パッド１００で吸収しきれずにおむつ１に漏れた尿や便が、側方溝部４３によって長手方向Ｘに沿って誘導されて拡散する。また、おむつ１の着用時に側方溝部４３が吸収性コア４０の屈曲誘導部として作用するので、側部域６が柔軟に変形して着用者の身体とのフィット性が向上する。更に、側部域６が柔軟に変形して着用者の身体とのフィット性が向上することによって、中央域５の股下部１Ｍは、着用時に幅方向Ｙの中央へ向かって狭められ、着用者の体とおむつ１との間に隙間ができる。これに起因して、吸収パッド１００からおむつ１に漏れた尿や便を着用者の体とおむつ１との間の隙間に幅方向Ｙに沿って誘導し、保持し拡散させることができる。これによって、おむつ１からの尿や便の漏れが効果的に防止される。これらの観点から、側方溝部４３の形成位置は、吸収性コア４０の最大幅に対して、側縁４０Ｓから１０％以上内方であることが好ましく、更に好ましくは２０％以上、一層好ましくは３０％以上内方である。また、側方溝部４３の形成位置は、吸収性コア４０の最大幅に対して、側縁４０Ｓから２０％以内であることが好ましく、更に好ましくは２８％以内、一層好ましくは３５％以内である。
【００３０】
また、前記と同様の観点から、吸収性コア４０の最大幅に占める中央域の幅の割合は、３５％以上であることが好ましく、４０％以上であることが更に好ましく、４５％以上であることが一層好ましい。また、６５％以下であることが好ましく、６０％以下であることが更に好ましく、５５％以下であることが一層好ましい。
【００３１】
おむつ１の着用時における各側部域６の柔軟な変形性及び着用者の身体とのフィット性を一層高める観点から、図２に示すとおり、側部域６の非肌対向面側に、長手方向Ｘに延びる弾性部材３８を伸長状態で配することが有利である。具体的には、弾性部材３８は、非肌側コアラップシート４２と裏面シート３との間に伸長状態で固定されていることが好ましい。これによって、おむつ１の着用時に、弾性部材３８が収縮することで側部域６が着用者の身体に向けて首尾よく起立する。
【００３２】
おむつ１からの尿や便の漏れを更に効果的に防止する観点から、図２に示すとおり、先に述べた防漏カフ３７は、その立ち上がりの固定端３７ａに位置に着目した場合、該固定端３７ａの位置よりも、吸収性コア４０の側縁４０Ｓの方が、幅方向Ｙの外方に位置していることが有利である。この構成を採用することで、吸収パッド１００で吸収しきれずに、尿や便がおむつ１に漏れ出たとしても、それらを吸収性コア４０の側部域６で首尾よく吸収することが可能になる。この有利な効果を一層顕著なものとする観点から、防漏カフ３７の固定端３７ａの位置は、吸収性コア４０の最大幅に対して、側縁４０Ｓから０％以上内方であることが好ましく、更に好ましくは０．５％以上、一層好ましくは１％以上内方である。また、固定端３７ａの位置は、吸収性コア４０の最大幅に対して、側縁４０Ｓから１０％以内であることが好ましく、更に好ましくは９％以内、一層好ましくは８％以内である。
【００３３】
図４に示すとおり、各側部域６には、複数の溝部６１が形成されている。これらの溝部６１は吸収性コア４０の長手方向Ｘと交差する方向に延びている。したがって、これらの溝部６１のことを、以下の説明においては「交差溝部６１」と呼ぶこととする。交差溝部６１は、側部域６の坪量よりも低坪量であるか若しくは坪量を有さない部位又は側部域６の坪量より低坪量でなくてもエンボス加工により部分的に圧密化される等して厚みが薄くされ溝形状になっている部位である。本実施形態においては、交差溝部６１は坪量を有さない貫通孔の部位となっている。交差溝部６１は、おむつ１の少なくとも股下部１Ｍに形成されており、更に好ましくは腹側部１Ｆ及び／又は背側部１Ｒにも形成されている。各交差溝部６１は、それらの仮想延長線Ｌが吸収性コア４０の中央部を向くような角度で、吸収性コア４０の長手方向Ｘと交差している。「吸収性コア４０の中央部」とは、吸収性コア４０を平面視して画定される二次元図形の重心位置を含み、且つ該重心位置から長手方向Ｘに±２８０ｍｍの範囲、及び幅方向Ｙ±６０ｍｍの範囲の矩形の領域のことである。図４に示す実施形態では、すべての交差溝部６１の仮想延長線Ｌが、吸収性コア４０を平面視して画定される二次元図形の重心位置を通っているが、本発明はこの実施形態に限られず、仮想延長線Ｌが、上述した吸収性コア４０の中央部を通っていればよい。尤も、交差溝部６１のうちのすべてが、上述した吸収性コア４０の中央部を通ることは要しない。交差溝部６１を設けたことによって奏される有利な効果が顕著に奏される観点からは、すべての交差溝部６１が、上述した吸収性コア４０の中央部を通ることが好ましい。
【００３４】
図４に示すとおり、吸収性コア４０の平面視において、交差溝部６１は、該平面視で画定される二次元図形の重心位置から見て、略放射状に延びている。詳細には、吸収性コア４０の長手方向Ｘと交差溝部６１とのなす角度θは、長手方向Ｘの中心位置において略９０度となっており、該中心位置から長手方向Ｘの端部に向かうに連れて角度θは漸減している。したがって、長手方向Ｘに沿って隣り合う２つの交差溝部６１間の距離（すなわち長手方向Ｘに沿う長さ）は、幅方向Ｙに沿って吸収性コア４０の側縁４０Ｓに向かうほど大きくなっている。
【００３５】
吸収性コア４０の側部域６に、上述した交差溝部６１を形成することで、吸収パッド１００で吸収しきれずにおむつ１に漏れた尿や便が、交差溝部６１によって吸収性コア４０の中央部に向かって誘導されて拡散する。この拡散と、漏れた尿や便が、上述した側方溝部４３による長手方向Ｘへの拡散との相乗作用によって、おむつ１からの尿や便の漏れが一層効果的に防止される。しかも、おむつ１の着用時に交差溝部６１が側部域６の屈曲誘導部として作用するので、側部域６が柔軟に変形して着用者の身体とのフィット性が向上する。更に、側部域６が柔軟に変形して着用者の身体とのフィット性が向上することによって、中央域５の股下部１Ｍは、着用時に幅方向Ｙの中央へ向かって狭められ、着用者の体とおむつ１との間に隙間ができる。これに起因して、おむつ１に漏れた尿や便を着用者の体とおむつ１との間の隙間に幅方向Ｙに沿って誘導し、保持し拡散させることができる。
【００３６】
おむつ１からの尿や便の漏れが効果的に防止される限りにおいて、図５に示すとおり、交差溝部６１は、その幅方向Ｙの内方側の端部６１ａが、側方溝部４３と連結していることを要しない。それに対して、図４では、各交差溝部６１は、その幅方向Ｙの内方側の端部６１ａが、上述した側方溝部４３と連結している。この連結によって、側方溝部４３による長手方向Ｘへの拡散と、交差溝部６１によって吸収性コア４０の中央部への拡散とが一層効果的に起こり、おむつ１からの尿や便の漏れが更に一層効果的に防止される。
【００３７】
吸収性コア４０における側部域６に交差溝部６１を形成して、該側部域６による尿や便の漏れを防止することを一層効果的に行う観点から、吸収性コア４０の中央域５は、その幅が、吸収パッド１００（図２（ｂ）及び図３参照）の幅よりも狭くなっていることが好ましい。幅の大小関係をこのように設定することで、おむつ１の着用時に、側方溝部４３が屈曲誘導部として効果的に作用して、側部域６が柔軟に変形し、吸収パッド１００とともに着用者の脚周りへのフィット性が一層向上する。この効果を一層顕著なものとする観点から、中央域５の幅は、吸収パッド１００の幅に対して８５％以下であることが好ましく、８０％以下であることが更に好ましく、７５％以下であることが一層好ましい。また、２５％以上であることが好ましく、３０％以上であることが更に好ましく、３５％以上であることが一層好ましい。「吸収パッド１００の幅」とは、吸収パッド１００の全幅、すなわち表面シートや裏面シートを含めた吸収パッド１００の全体の幅のことであり、吸収パッド１００における吸収性コアの幅のことではない。
【００３８】
次に、本発明の別の実施形態を、図６ないし図８を参照しながら説明する。これらの実施形態に関し特に説明しない点については、先に述べた図１ないし図５に示す実施形態に関して詳述した説明が適宜適用される。また、図６ないし図８において、図１ないし図５と同じ部材には同じ符号を付してある。
【００３９】
図６に示す実施形態においては、側部域６が、おむつ１の股下部１Ｍから長手方向Ｘの前後に延びる第２側方溝部４４を有している。第２側方溝部４４の前後端は、おむつ１の腹側部１Ｆ及び背側部１Ｒにまで達している。図６においては、第２側方溝部４４の前後端の位置は、側方溝部４３の前後端の位置と概ね一致している。尤も、両溝部４３，４４の前後端の位置は一致している必要はなく、例えば第２側方溝部４４の前後端の位置の方が、側方溝部４３の前後端よりも、吸収性コアの端縁４０Ｆ，４０Ｒ近くに達していてもよく、反対に側方溝部４３の前後端の位置の方が、第２側方溝部４４の前後端よりも、吸収性コアの端縁４０Ｆ，４０Ｒ近くに達していてもよい。いずれの場合であっても、第２側方溝部４４は、その前後端が、吸収性コア４０の端縁４０Ｆ，４０Ｒにまで達していないことが好ましい。
【００４０】
第２側方溝部４４は、側部域６を幅方向Ｙに概ね二等分する位置に形成されている。具体的には、第２側方溝部４４の形成位置は、側部域６の幅方向Ｙにおける全幅に対して、側縁４０Ｓから１０％以上内方であることが好ましく、更に好ましくは１１．３％以上、一層好ましくは１２．５％以上内方である。また、第２側方溝部４４の形成位置は、側部域６の幅方向Ｙにおける全幅に対して、側縁４０Ｓから１００％未満であることが好ましく、更に好ましくは９９．５％以内、一層好ましくは９９％以内である。第２側方溝部４４は、側部域６の坪量よりも低坪量であるか若しくは坪量を有さない領域部位又は側部域６の坪量より低坪量でなくてもエンボス加工により部分的に圧密化される等して厚みが薄くされ溝形状になっている領域である。図６に示す第２側方溝部４４は、坪量を有さない領域になっている。
【００４１】
図６に示すとおり、側部域６において、第２側方溝部４４は、交差溝部６１と交差している。同図には、第２側方溝部４４がすべての交差溝部６１と交差している状態が示されている。側部域６に第２側方溝部４４が形成されており、該第２側方溝部４４が交差溝部６１と交差していることによって、おむつ１の着用時に、吸収パッド１００で吸収しきれずにおむつ１に漏れた尿や便が、側部域６に形成された第２側方溝部４４によって長手方向Ｘに沿って誘導されて拡散するとともに、交差溝部６１によって吸収性コア４０の中央部に向かって誘導されて拡散する。更に、図６に示すとおり交差溝部６１が、側方溝部４３と連結している場合には、交差溝部６１によって吸収性コア４０の中央部に向かって拡散した尿や便が、側方溝部４３によって長手方向Ｘに沿って誘導されて拡散する。その結果、本実施形態のおむつ１によれば、おむつ１からの尿や便の漏れが更に一層効果的に防止される。
【００４２】
第２側方溝部４４の形成位置との関係で、先に述べた防漏カフ３７の立ち上がりの固定端３７ａは、該固定端３７ａが吸収性コア４０上に位置する場合には、第２側方溝部４４の形成位置よりも側縁４０Ｓ寄りの位置であることが好ましい。
【００４３】
以上の有利な効果が奏されるためには、第２側方溝部４４が、すべての交差溝部６１と交差していることが有利であるが、かかる効果が奏される限りにおいて、第２側方溝部４４がすべての交差溝部６１と交差していることは要しない。
【００４４】
おむつ１からの尿や便の漏れを更に一層効果的に防止する観点から、図６及び図７に示すとおり、更に吸収性コア４０の中央域５に中央溝部４５が形成されていてもよい。中央溝部４５は、おむつ１の股下部１Ｍから長手方向Ｘの前後に延びている。中央溝部４５の前後端は、おむつ１の腹側部１Ｆ及び背側部１Ｒにまで達している。図６においては、中央溝部４５の前後端の位置は、側方溝部４３及び第２側方溝部４４の前後端の位置と概ね一致している。尤も、これらの溝部４３，４４，４５の前後端の位置は一致している必要はなく、例えば中央溝部４５の前後端の位置の方が、側方溝部４３及び第２側方溝部４４の前後端よりも、吸収性コアの端縁４０Ｆ，４０Ｒ近くに達していてもよく、反対に側方溝部４３及び第２側方溝部４４の前後端の位置の方が、中央溝部４５の前後端よりも、吸収性コアの端縁４０Ｆ，４０Ｒ近くに達していてもよい。いずれの場合であっても、中央溝部４５は、その前後端が、吸収性コア４０の端縁４０Ｆ，４０Ｒにまで達していないことが好ましい。
【００４５】
中央溝部４５は、中央域５を幅方向Ｙに概ね二等分する位置、すなわち幅方向中央部を通る長手方向中心線ＣＬ上に概ね形成されている。図６及び図７に示す中央溝部４５は、坪量を有さない領域になっているが、中央域５の坪量より低坪量であるか又は中央域５の坪量より低坪量でなくてもエンボス加工により部分的に圧密化される等して厚みが薄くされ溝形状になっている領域になっていてもよい。吸収性コア４０の中央域５に中央溝部４５が形成されていることによって、おむつ１の装着時に、中央溝部４５が屈曲誘導部として作用して、図８（ａ）及び（ｂ）に示すように中央溝部４５を挟む中央域５の左右の領域が非肌対向面側に向けて変形し、中央域５におけるおむつ１の肌対向面が、非肌対向面に向けて凹陥して凹部４６が形成される。また、凹部４６の形成により、着用者の身体とおむつ１との間に隙間ができることによって、吸収パッド１００からおむつ１に漏れた尿や便は、幅方向Ｙに沿っておむつ１との間の隙間に誘導され、保持され、拡散される。これに起因して、この凹部４６は、尿や便の一時的な貯留部として作用する。このことによって、おむつ１からの尿や便の漏れが更に一層効果的に防止される。なお、凹部４６は、吸収性コア４０が中央溝部４５を備えない実施形態のおむつであっても、吸収性コア４０が側方溝部４３を備えている限りにおいて形成される。側方溝部４３に加えて中央溝部４５が形成されていることで、凹部４６の形成は一層促進される。
【００４６】
上述した凹部４６をおむつ１の着用時に首尾よく形成する観点から、図７（ａ）及び図７（ｂ）に示すとおり、中央溝部４５は、幅方向Ｙに沿う厚み方向での断面視において、肌対向面から非肌対向面に向けて幅が漸減していることが好ましい。これによって、中央溝部４５が屈曲誘導部として一層効果的に作用し、中央溝部４５を挟む中央域５の左右の領域が非肌対向面側に向けて首尾よく変形する。この変形を一層容易に生じさせる観点から、図７（ｂ）に示すとおり、中央溝部４５における肌対向面側の幅Ｗ１と非肌対向面側の幅Ｗ２との比であるＷ１／Ｗ２の値は、１．１以上であることが好ましく、１．５以上であることが更に好ましく、２以上であることが一層好ましい。またＷ１／Ｗ２の値は、１０以下であることが好ましく、９以下であることが更に好ましく、８以下であることが一層好ましい。
【００４７】
以上、本発明をその好ましい実施形態に基づき説明したが、本発明は前記実施形態に制限されない。例えば図６に示す実施形態において、交差溝部６１を、図５に示すように、側方溝部４３と連結しないように形成してもよい。
【００４８】
また、図６及び図７に示す実施形態において、吸収性コア４０の側部域６に第２側方溝部４４を形成しなくてもよい。
【００４９】
更に図７に示す実施形態において、吸収性コア４０の幅方向Ｙに沿う厚み方向での断面視において、中央溝部４５の幅を、肌対向面から非肌対向面にわたって同じにしてもよい。つまり、中央溝部４５における肌対向面側の幅Ｗ１と非肌対向面側の幅Ｗ２とは同じであってもよい。
【００５０】
また前記各実施形態のおむつ１は、吸収体４を構成する吸収性コア４０が単層構造のものであったが、これに代えて吸収性コアの一部又は全部を多層構造にしてもよい。
【符号の説明】
【００５１】
１  使い捨ておむつ（吸収性物品）
１Ｆ  使い捨ておむつの腹側部
１Ｍ  使い捨ておむつの股下部
１Ｒ  使い捨ておむつの背側部
２  表面シート
３  裏面シート
４  吸収体
４０  吸収性コア
４１  肌側コアラップシート
４２  非肌側コアラップシート
４３  側方溝部
４４  第２側方溝部
４５  中央溝部
４６  凹部
５  中央域
６  側部域
６１  交差溝部
Ｘ  長手方向
Ｙ  幅方向
【図１】
2018122014.tif 000003
【図２】
2018122014.tif 000004
【図３】
2018122014.tif 000005
【図４】
2018122014.tif 000006
【図５】
2018122014.tif 000007
【図６】
2018122014.tif 000008
【図７】
2018122014.tif 000009
【図８】
2018122014.tif 000010